(57)【特許請求の範囲】
【請求項１】
構内通信網（ＬＡＮ）（１０）を通る電話通信及びＩＴ伝送を統合し、かつ前記構内通信網の一つの固定電話が一般電話網（１）に接続した瞬間に、低費用の電気通信事業者及び接続モードを選択するための装置であって、
−前記ＬＡＮの中央処理ユニットと組み合わせられ、前記ＬＡＮの種々のＩＴシステムの中で交換されるデータパッケット並びにＬＡＮ使用者の中、及び前記使用者と外部電話網使用者の中で交換される電話通信に関するデータパッケットの両者のＬＡＮを通過する伝送の管理を提供し、更にＬＡＮ使用者からの呼出しの開始の瞬間に、請求された電話サービスの最低費用の事業者を自動的に選択し、前記選択が前記使用者の特定のパラメーター及び前記サービスの費用パラメーターに従って行われる少なくも一つの電子設備（１１）及び関連ソフトウエア、
−電話通信に関連する前記データパッケットを電話信号に変換し更に前記電話信号を前記周辺装置に接続された電話機、ファクシミリ、及びその他の電話機セット（１６、１７、１８、１９）に送り、更に逆に、前記電話機、ファクシミリ又は電話受信装置から来た電話信号を前記ＬＡＮ（１０）の伝送プロトコルにより互換性のあるデータパッケットに変換し、そして前記データパッケットを前記中央電子設備（１１）に向かって送る一つ以上の周辺装置（３３）を備え、
前記電気設備（１１）が前記構内通信網の電話機と外部電話網との間の最低費用の接続モードを自動的に選択し、更に前記接続を自動的に実行し、
前  記中央電子設備（１）が、ＬＡＮ電話を前記ＬＡＮ外の移動電話に電話接続する際に、もし電話接続の形式がより安価であるならば、前記設備又は接続された設備に直接含まれる移動電話網（ＰＬＭＮ）に向かう接続手段を使用して、「固定から移動へ」から「移動から移動へ」に自動的に切り替え、前記接続手段は、呼び出された移動電話のＳＩＭカードを管理する同じ移動電話サービスの事業者により管理されるＳＩＭカードの手段により作動している、
ことを特徴とする前記装置。
【請求項２】
前記電気設備（１１）が
−一般電話網、十進式又は多周波数電話機及び電話技術者専用の端末装置のインターフェース手段（２７、２８）、
−外部電話線路を前記電話機又はＡ／Ｄ変換器（２３）に向けて切り替えるための手段であって、到着呼出しの電話番号において行われる復調作動により自動的に管理されている前記切替え手段（２９）、
−電話のアンサーメッセージを記憶するための手段（３１）、
−前記ＬＡＮにおける電話通信に関するデータパッケットの優先管理のための手段、
−管理されたＬＡＮを通る電話通信に関するデータのファイルを作成するための手段、
−前記ＬＡＮの周辺装置に接続された各１個の電話による電気通信サービスの使用に関する統計的パラメーターを記憶しかつ処理するための手段、
−電気通信サービスの費用パラメーターの獲得用の手段、
−ＬＡＮ電話と組み合わせられた外部移動電話及びコードレス電話に接続するための手段（２２）
を備え、
前記設備（１１）が、構内オペレーターによる呼出しの受信、電話呼出しの到着と送出との自動切替え、保留又はアンサー電話のメッセージの伝送、或いはその他の同様な機能のような構内交換の典型的な機構の全てを行うことができる請求項１に記載の装置。
【請求項３】
前記周辺装置（３３）が、
−電話機、ファクシミリ又は受信装置からくる電話信号をＬＡＮの伝送プロトコルにより互換し得るデータに変換させ、及びその逆を行うための手段（３６）  、
−ＬＡＮ母線に到着してくるデジタルデータパッケットを、前記周辺装置に接続された電話機、ファクシミリ及びクライアントの周辺コンピューターに切り替えるための手段（３５、３７）、
−前記デジタルデータパッケットのアドレスを復調するための手段（３４）、
−受信装置の受信、又は、前記電話機、ファクシミリ又は受信装置の動作可能になったことを検出するための手段（３８）
を備える請求項１に記載の装置。
【請求項４】
前記周辺装置（３３）が交流電力供給網から自動的に再充電可能な直流電力供給装置（４０）を備え、前記直流電力供給装置には電池（４１）が装備され、これが交流電力網のいかなる欠如に対しても完全に補うに十分な長時間、一定電圧の電力供給を前記装置の内部部分に給送する請求項３に記載の装置。
【請求項５】
前記周辺装置に含まれた変換、切替え、復調及び検出のための前記手段が、特定のソフトウエア機能を与えられた配線式の論理回路又はマイクロプロセッサーユニットにより作られる請求項３に記載の装置。
【請求項６】
ＬＡＮサーバーと組み合わせられた前記電子設備（１１）が、前記ＬＡＮの使用者により要請された電気通信サービスの事業者選択を提供し、前記使用者が呼び出している電話番号の数字を検知し希望の呼出しの種類（市内、長距離、国際、移動電話に…）を解釈し、そして通信の形式、通信時間、前記通信の時間費用パラメーターに従い更に前記通信の統計的支持時間長を特定する使用者の典型的なパラメーターにより、最低費用の電気通信事業者を選定し、更にダイヤル中の電話番号の前に選定された電気通信事業者の識別コードを自動的にダイヤルする請求項１に記載の装置。
【請求項７】
前記ＬＡＮ（１０）から分離されかつインターネット又は同等のような通信網の手段により一般電話網に接続された特定の処理ユニット（１１’）を備え、前記分離された処理ユニット（１１’）は費用パラメーターの獲得及び幾つかの構内通信網に属している使用者のグループに関する使用統計パラメーターの処理に専用であり、前記分離されたユニットは前記構内通信網の中央電子設備（１１）に周期的に接続され、前記構内通信網の各電話使用者による電話サービスの使用に関するデータを受け取りそして最低費用の電気通信事業者及び接続モードを自動的に選ぶために有用なパラメーターを前記設備（１１）に伝送する請求項１−６のいずれか１つに記載の装置。
【請求項８】
前記中央電子設備（１１）又は前記分離された処理ユニット（１１’）が、前記使用者の各人について典型的な統計パラメーターの差の種々の類型を計算し、第１の類型は１日及び／又は週又は月の数日中の種々の瞬間における１人の使用者によりなされる通話の平均持続時間に関連し、第２の形式の類型は或る特定の時間内における前記使用者から発信した電話トラフィックの総量に関連し、第３の類型は使用者各人の達する電話トラフィックの特徴に関してる請求項１−７のいずれか１つに記載の装置。
【請求項９】
単一のＬＡＮを通る電話呼出しとデータ伝送とを統合し、更に最低費用の接続モード及び電気通信サービス事業者を選定するための方法であって、
−前記構内通信網（ＬＡＮ）を通る電話通信を検出し、前記通信は一般電話網からか又は前記ＬＡＮの固定電話から来たものであり、
−前記電話通信を適正なアドレスの設けられたデジタルデータパケットに変換し、
−前記データパケットを前記ＬＡＮを通して優先的に伝送し、
−前記ＬＡＮの中央設備により又は端末電話機セットと組み合わせられた周辺装置により前記データパケットを獲得し、
−前記データパケットを電話信号に変換し、
−前記電話信号を端末電話機セット又は一般電話網に伝送する
諸段階を含み、更に通信が構内通信網の電話機から始まり、かつ一般電話網にアドレスされた場合は、
−各使用者による（呼出しの形式、市内／遠距離／国際、呼出し時間、その持続時間…のような）電気通信サービスの使用に関するデータを検出しかつ収集し、
その結果、使用者の輪郭を描くことを狙って使用の統計的パラメーターを計算するための前記データの周期的な処理活動の手段により、及びサービス事業者により提供される電気通信サービスの費用パラメーターの周期的な獲得と記憶の手段により、一般電話網に向けられたＬＡＮ電話機からの各呼出しの際にこれが発生し、
−前記呼出しの電話番号を構成している数字を検出し、
−前記数字の関数として、使用者が要求している電気通信サービスの形式を決定し、
−上の統計的パラメーター及び上の費用パラメーターの関数として、使用者により要求された電気通信を実行するための最低費用の電気通信事業者及び接続モードを選定し、
−前段階により選定された電話接続モードに従って前記呼出しの電話番号の前に前記事業者の識別コードをダイヤルし、前記呼出しの伝送は固定電話又は移動電話の手段による
方法。
【請求項１０】
請求項１−７のいずれか１つに記載の装置により管理される固定電話機が移動電話機からの電話呼出しを受けた場合、
−呼び出し方の電話番号を検出し、
−決められた番号リスト内に前記番号が含まれるかを調べ、
そして、もしそうであるならば、
−前記番号を記憶し、
−到着の電話呼出しを拒否し、
−呼出しを受けている移動電話の識別コードを管理するものと同じサービス事業者により管理されるＳＩＭ識別コードを有する固定電話又は移動電話を、低費用性に従って、使用して前記電話番号を呼び出す
諸段階を含む請求項９に記載の方法。
【請求項１１】
外部電話網から前記ＬＡＮに到着した通信のアドレスされた電話番号がＬＡＮ内電話使用者の番号を含まない場合は、通信は、前記ＬＡＮの中央管理ユニットの双方向端末オペレーター（２０）により管理される請求項９による方法。
【請求項１２】
外部電話網から前記ＬＡＮに到着した通信のアドレスされた電話番号がＬＡＮ内電話使用者の番号を含まない場合は、前記通信は、前記ＬＡＮの中央管理ユニットにより、通信をデジタル形式に変換することなく前記ユニットに接続された電話機セット２１の一つに切り替えられ、前記通信が続いて前記ＬＡＮ電話使用者の一人に進められる場合はＡ／Ｄ変換が行われる請求項９に記載の方法。
【発明の詳細な説明】
【０００１】
［発明の分野］
本発明は、電話通信及び構内情報通信網（ＬＡＮ）におけるデータ伝送を統合するため並びに特別の要求、特に経済基準の要求により良く適合する事業者及び接続モードを自動的に選択するための設備に関する。
【０００２】
本発明は、電話通信及びＬＡＮにおけるデータ伝送を統合するため並びに最低費用の接続モード（固定／固定、固定／移動、移動／移動）及び電気通信事業者を自動的に選択するための方法にも関する。
【０００３】
［従来技術の説明］
今日では、標準伝送プロトコルによる高い伝送速度で作動する伝送線路の手段により互いに接続されたコンピューターを使用する会社又は事務所内におけるデータ、情報及びメッセージの交換技術が広く行われている。
【０００４】
ＬＡＮを構成する上記の線路は、構内交換の手段によに管理される伝統的な組織内電話システムと並列に作動する。上の二者の回路網、即ちＬＡＮと電話システムの技術的な特徴は、公知のようにかなり異なり、事実上、ＩＴシステム接続網を経て伝送されるデータは専らデジタル式であるが、電話システムによる信号は本質的にアナログ式である。
【０００５】
一般電話網を経て送られている電気通信サービスの自由化の後、各固定電話使用者は、今では、前以て供給契約に入っている異なる事業者により提供されるサービスを使った呼出しを選ぶことができる。前記使用者は、呼出しの際に、電話番号をダイヤルするより前に、特定の選定された事業者に相当する或る特別なコードを加えることにより選択をする。事業者を選択する基準は、一般に、サービスの低費用性に基づく。
【０００６】
各供給者は、事実上、別の事業者の提案に関して有利な幾つかのサービスを含む何種かの提案サービスの料金に対する自分自身の基準に従う。例えば、与えられた日数又は週にわたる期間中、或る与えられた事業者の手段によりなされる遠距離呼出しの費用は、他の事業者を経てなされる同じ呼出しの費用よりかなり安く、或いは、自動車電話への呼出し又はメッセージの通信及びデータ伝送、又は市内電話等々がより有利なことがある。
【０００７】
加えて、移動電話に対する呼出しの場合は、ＳＩＭカードが、受信している電話のＳＩＭカードを管理する同じ通信事業者により管理さているならば、通信費を非常に安くすることができる。
【０００８】
従って、事業者の数の増加と共に、電気通信サービス事業者及び接続の形式の両者について安価な選択を行うことが使用者にはより難しくなった。
【０００９】
以上の考え、並びにクライアント／サーバー構成を有するＬＡＮが、低出力コンピューターを使っている小さい会社に至るまで益々広がっていることを考え、かつ最後にＩＴセクターにより提供される新たな可能性を知ると、システム、特に新しい地区及びビルディングにおけるシステムの単純化、及び伝統的な交換に関する性能と特徴の増強の両者を許し、更にＬＡＮ電話使用者と外部電話網との間の各電話接続の際の事業者及び接続モードの自動選択を許す解決法を開発する好機であることが理解される。
【００１０】
［発明の概要］
本発明の第１の目的は、ＬＡＮを経た電話通信、マルチメディアメッセージ及びＩＴデータ伝送のための設備であって、一般電話網に直接接続されかつ現在は交換手により行われる諸活動を自動的に遂行するようにされた設備、及びこれに対応した方法を提供することである。
【００１１】
本発明の別の目的は、固定電話から一般電話網への接続の際、電気通信サービス事業者の自動的な選択ができ、この選択が経済的に最大有利な基準の基づき、更に前記電気通信サービスが一般電話網を通る電話サービス及びデータ／メッセージ伝送サービスに向けられたものであるような設備及び対応した方法を提供することである。
【００１２】
本発明の更なる目的は、固定電話から自動車電話への接続の際、経済的に有利な固定電話／自動車電話から自動車電話／固定電話への接続モードに自動変更を実行する設備及び対応した方法を提供することである。
【００１３】
本発明の別の目的は、電話システムを通る電気通信サービスの使用者によるかかるサービスの使用に関するデータのファイルを自動的に作ること、及びかかるデータを回収すること、並びに与えられた瞬間における要求された電話サービスのための、より低費用の電気通信事業者を選定することができる設備及び対応した方法を提供することである。
【００１４】
これら及びその他の目的及び利点は、構内通信網（ＬＡＮ）を通る電話通信及びＩＴ伝送を統合し、かつ前記構内通信網の一つの固定電話が一般電話網に接続した瞬間に、低費用の電気通信事業者及び接続モードを選択するための装置であって、
−前記ＬＡＮの中央処理ユニットと組み合わせられ、前記ＬＡＮの種々のＩＴシ
ステムの中で交換されるデータパッケット並びにＬＡＮ使用者の中、及び前記
使用者と外部電話網使用者の中で交換される電話通信に関するデータパッケッ
トの両者のＬＡＮを通過する伝送の管理を提供し、更にＬＡＮ使用者からの呼
出しの開始の瞬間に、請求された電話サービスの最低費用の事業者及び前記使
用者と外部電話網との間の最低費用の接続モードを自動的に選択し、前記選択
が前記使用者の特定のパラメーター及び前記サービスの費用パラメーターに従
って行われる少なくも一つの電子設備及び関連ソフトウエア、
−電話通信に関連する前記データパッケットを電話信号に変換し更に前記電話信
号を前記周辺装置に接続された電話機、ファクシミリ、及びその他の電話機セ
ットに送り、更に逆に、前記電話機、ファクシミリ又は電話受信装置から来た
電話信号を前記ＬＡＮの伝送プロトコルにより互換性のあるデータパッケット
に変換し、そして前記データパッケットを前記中央電子設備に向かって送る一
つ以上の周辺装置
を備えた前記装置により得られる。
【００１５】
上述の電子設備は、通常、ＬＡＮサーバーと称せられるＬＡＮ中央処理ユニッ
トと組み合わせられて、
−一般電話網、十進式又は多周波数電話機及び電話技術者専用の端末装置のイン
ターフェース手段、
−外部電話線路を前記電話機又はＡ／Ｄ変換器に向けてて切り替えるための手段
であって、到着呼出しの電話番号において行われる復調作動により自動的に管
理されている前記切替え手段、
−電話のアンサーメッセージを記憶するための手段、
−前記ＬＡＮにおける電話通信に関するデータパッケットの優先管理のための手
段、
−前記ＬＡＮを通る電話通信に関するデータのファイルを作成するための手段、
−前記ＬＡＮの周辺装置に接続された各１個の電話による電気通信サービスの使
用に関する統計的パラメーターを記憶しかつ処理するための手段、
−電気通信サービスの費用パラメーターの獲得用の手段、
−ＬＡＮ電話と組み合わせられた外部移動電話及びコードレス電話に接続するた
めの手段
を備え、
前記設備は、構内オペレーターによる呼出しの受信、電話呼出しの到着と送出との自動切替え、保留又はアンサー電話のメッセージの伝送、或いはその他の同様な機能のような構内交換の典型的な機構の全てを行うことができる。
【００１６】
本発明の設備の周辺装置は、
−ＬＡＮ内電話機、ファクシミリ又は受信装置からくる電話信号をＬＡＮの伝送
プロトコルにより互換可能なデータに変換させ、及びその逆を行うための手段
、
−ＬＡＮ母線に到着してくるデジタルデータパッケットを、前記周辺装置に接続
された電話機、ファクシミリ及びクライアントの周辺コンピューターに切り替
えるための手段、
−前記デジタルデータパッケットのアドレスを復調するための手段、
−受信装置の受信、又は、正確には前記ＬＡＮ内電話機、ファクシミリ又は受信
装置の動作可能になったことを検出するための手段
を備える。
【００１７】
前記周辺装置は、交流電力供給網から自動的に再充電が可能な直流電力供給装置を備え、更に前記周辺装置内に含まれ変換、切替え、復調及び検出のための前述の諸手段は、特定のソフトウエア機能を提供された配線式の論理回路又はマイクロプロセッサーユニットにより作られる。
【００１８】
ＬＡＮサーバーと組み合わせられた電気設備は、前記ＬＡＮの使用者により要請された電気通信サービスの事業者選択を提供し、使用者が呼び出している電話番号の数字を検知し希望の呼出しの種類（市内、長距離、国際、移動電話に…）を解釈し、そして通信の形式、通信時間、かかる通信の時間費用パラメーターに従い、更に前記通信の統計的支持時間長を特定する使用者の典型的なパラメーターにより、最低費用の電気通信事業者を選定する。電気設備は、ダイヤル中の電話番号の前に選定された電気通信事業者の識別コードを自動的にダイヤルする。
【００１９】
上の設備は、ＬＡＮ電話を前記ＬＡＮ外の移動電話に電話接続する際に、もし電話接続の形式が安価であるならば、前記設備又は接続された設備に直接含まれる移動電話網（ＰＬＭＮ）に向かう接続手段を使用して、「固定から移動へ」から「移動から移動へ」に自動的に切り替え、前記接続手段は呼び出された移動電話のＳＩＭカードを管理する同じ移動電話サービス事業者により、或いはより安ければ他の事業者により管理されるＳＩＭカードの手段により作動する。従って、この場合は、電話呼出しは、本発明の中央電子設備と外部移動電話との間のＰＬＭＮを通して、及び前述の中央電子設備と構内通信網電話との間でＬＡＮを通して生ずる。
【００２０】
事業者及び電話選択モードの選択に使用されるパラメーターは、前記中央電子設備において獲得され、処理され、そして記憶される。前記パラメーターは、本発明設備により管理される各電話使用者による電気通信サービスの使用に関する統計データの処理、及び種々の事業者により提供される電気通信サービスの費用に関するデータの獲得の両者の手段により、所定の時間間隔で組織的に更新される。
【００２１】
電話使用者各人により使用される電気通信サービスに関するデータの処理は、前記使用者についての典型的な統計パラメーターの種々の類型を作る。第１の類型は１日及び／又は週又は月の数日中の種々の瞬間における１人の使用者によりなされる呼出しの平均持続時間に関連し、第２の形式の類型は或る特定の時間内における前記使用者から発信した電話トラフィックの総量に関連し、第３の類型は使用者各人の達する電話トラフィックの特徴に関する。
【００２２】
電話サービスの使用に関するデータの処理及びかかるサービスの費用に関するデータの獲得は、インターネット又は同等のような通信網の手段により一般電話網に接続された別個の処理用ユニットにより行うことができる。前記別個の処理用ユニットは、最低費用の事業者及び接続モードの選定に有用なパラメーターを伝送するために、周期的に本発明の中央電子設備に接続される。
【００２３】
単一のＬＡＮを通する電話呼出しとデータ伝送とを統合し、更に最低費用の接続モード及び電気通信サービス事業者を選定するための方法は、
−前記構内通信網を通る電話通信を検出し、前記通信は一般電話網からか又は前
記ＬＡＮの固定電話機器から来たものであり、
−前記電話通信を適正なアドレスの設けられたデジタルデータパケットに変換し
、
−前記データパケットを前記ＬＡＮを通して優先的に伝送し、
−前記ＬＡＮの中央設備により又は端末電話機セットと組み合わせられた周辺装
置により前記データパケットを獲得し、
−前記データパケットを電話信号に変換し、
−前記電話信号を端末電話機セット又は一般電話網に伝送する
諸段階を含み、更に通信が構内通信網の電話機から始まり、かつ一般電話網に
アドレスされた場合は、
−各使用者による（呼出しの形式、市内／遠距離／国際、呼出し時間、その持続
時間…のような）電気通信サービスの使用に関するデータを検出しかつ収集し
、
その結果、使用者の輪郭を描くことを狙って使用の統計的パラメーターを計算するための前記データの周期的な処理活動の手段により、及びサービス事業者により提供される電気通信サービスの費用パラメーターの周期的な獲得と記憶の手段により、一般電話網に向けられたＬＡＮ電話機からの各呼出しの際に、これが発生し、
−前記呼出しによりアドレスされた電話番号を構成している数字を検出し、
−前記数字の関数として、使用者が要求している電気通信サービスの形式を決定
し、
−上の統計的パラメーター及び上の費用パラメーターの関数として、使用者によ
り要求された電気通信を実行するための最低費用の電気通信事業者及び接続モ
ードを選定し、
−前段階により選定された電話接続モードに従って前記呼出しの電話番号の前に
前記事業者の識別コードをダイヤルし、前記呼出しの伝送は固定電話又は移動
電話の手段による。
【００２４】
上述の電気通信事業者及び接続モードの自動選択に使用される統計的パラメーターの使用、種々の使用者の概観は次の３形式であることが有利である。
−パラメーターの第１の類型は、１日及び／又は週又は月の数日中の種々の瞬間
における各固定電話使用者によりなされる呼出しの平均持続時間に関連する。
−第２の類型は或る特定の時間内における使用者各人によりなされる電話トラフ
ィックの総量に関連し、前記トラフィックは呼出し宛先の関数として細分割す
ることができる。
−第３の類型は使用者各人に達する電話トラフィックの特徴に関する。
【００２５】
本発明により管理される固定電話の場合、設備が移動電話による電話呼出しを受けると、本発明による方法の実施例は、
−呼び出し方の電話番号を検出し、
−決められた番号リスト内に前記番号が含まれるかを調べ、
そして、もしそうであるならば、
−前記番号を記憶し、
−到着の電話呼出しを拒否し、
−呼出しを受けている移動電話の識別コードを管理するものと同じサービス事業
者により管理されるＳＩＭ識別コードを有する固定電話又は移動電話を、低費
用性に従って使用して前記電話番号を呼び出す。
【００２６】
外部電話網から前記ＬＡＮに到着した通信のアドレスされた電話番号がＬＡＮ使用者の番号を含まない場合は、通信は、前記ＬＡＮを管理している中央電子設備の双方向端末オペレーターにより管理され、前記オペレーターは、本発明の設備の新しい可能性を使用して、もし必要ならば、リアルタイムでｅメールメッセージを書き、通信のマルチメディア内容を与え、音声メッセージを記録し、ＬＡＮ使用者に通信を進め、又はその他の作業を行うことができる。或いは、前記通信は、これをデジタル形式に変換することなく前記電子設備に接続された電話機セットに向けて切り替えることができ、もし通信自体が続いてＬＡＮの或る特定の使用者に進められる場合は、変換が行われることは明らかである。
【００２７】
本発明の方法の上述された諸段階において説明された諸作動は自動的に行われる。
【００２８】
更に、本発明の方法により、電話通信に関するデータパケットの伝送及び事業者の自動選択は、ＬＡＮの幾つかの処理ユニット（クライアント）から又はこのユニットへ、或いはＬＡＮの別の周辺装置へのＩＴデータ伝送を管理する同じユニット（サーバー）により管理することができ、更に電話信号のデジタルデータへの変換又はその逆は、かかる周辺装置及びかかる中央設備により実行することができる。かかる方法においては、電話通信に対しても、ＩＴデータの処理のために多くの装置を使うことができる。
【００２９】
本発明の装置の使用及び対応する方法は、特定の使用者輪郭に適した最低費用の電気通信サービスを提供している事業者の自動選定のため、ＬＡＮ使用者についての全電話サービス管理の単純化及びサービス自体の費用の低下の両者について疑いもなく有利である。別の一般的利点は、新しい電話使用者をＩＴ回路網の領域内に加えねばならないとき、新しいシステムを設けることが不要であり、事実、前記使用者はＬＡＮ周辺装置の一つから直接由来することができるという事実から生ずる。
【００３０】
その他の重要な利点は、構内通信網の大きくかつ容易な拡張能力及び対話の方法で交換し得る音声機能及びマルチメディアメッセージの融通性のある使用に由来する。
【００３１】
［好ましい実施例の説明］
さて、本発明の上述された利点及び特徴をより良く理解するために、付属図面を参照して本発明が実施例の方法で説明されるであろう。
【００３２】
まず図１の実施例を参照すれば、互いに作用している固定電話網ＰＳＴＮ(Public Switching Telephone Network 一般電話交換網）又は移動電話網ＰＬＭＮ(Public Land Mobile Network一般陸上移動電話網）の電話網の全体が１で極めて概略的に示される。
【００３３】
上の全体１は、電話及びＩＴ設備と装置よりなる構内情報通信網（ＬＡＮ）１０に接続される。
【００３４】
特に、電子設備１１が、電話信号をデジタルデータに及びその逆にコード変換するトランスコーダ１２により、及び直接に一般電話網１に接続されることに注目した。
【００３５】
後で詳細に説明されるであろう前記電子設備１１は、いわゆるネットワークサーバーを構成し、これは、知られるように単一のテレマティク線路１３の手段により互いに接続された全てのＬＡＮユニット内のＩＴデータの交換を管理する。この実施例においては、上の線路を通る通信はイーサネットプロトコルに応答し、そして伝送速度は毎秒１０メガビットであるが、毎秒１００メガビット又はこれ以上に達し得ることが有利である。
【００３６】
ＬＡＮ１０には幾つかの周辺ユニット、特にテレマティク線路１３に直結されたビデオ端子と英数字式キーボードとが設けられた２台の伝統的な形式の（クライアント）コンピューター１４、及び周辺装置３３を経てテレマティク線路１３に接続されかつ電話受信装置１９が更に設けられた２台の別の（クライアント）コンピューター１５が接続される。
【００３７】
前記装置３３は、クライアントコンピューター１５、種々の電話機１６と１７、ファクシミリ１８、受信装置１９のＬＡＮ母線とのインターフェース機能を持ち、ソフトウエアによりクライアントコンピューターと組み合わせられ、或いはその他の適宜の可能な電話機セットと組み合わせられる。図３に示されるように、これらの装置は以下を含む。即ち、
−線路１３を通って行く幾つかのデータパケットのアドレスを復調するためのセクション３４、
−論理スイッチセクション３５、
−デジタル／アナログ及びアナログ／デジタル変換器セクション３６、
−スイッチングセクション３７、
−装置３３に接続された電話機セット１６、１７、１８、１９のオン／オフ状態
検出セクション３８
である。
【００３８】
上の装置３３には、交流電力供給網からの給電のために入力３９が設けられる。また、イーサネット１３、電話機セット及び上述のクライアントコンピューターへのそれぞれの接続線１３’、１６’、１７’、１８’、１９’、１５’も設けられる。
【００３９】
特に、入力端子３９は内部直流電力供給装置４０に関係し、これには交流電源網のいかなる欠如も埋め合わせるために、十分に長い時間、端子４２に一定電圧の電力供給を提供する電池４１が設けられる。
【００４０】
図１の線図に戻ると、機能端末２０を見ることができる。これは、クライアントコンピューター１５と同様であり、中央電子設備１１に接続される。電話機セット２１、２１’も前記設備に接続される。これらの電話機は、伝統的な交換の典型的な機能の性能のため、及びＬＡＮと一般電話網との間で交換される電話通信の管理に関する更なる機能のため有用である。
【００４１】
設備１１は、外部の移動電話網（ＰＬＭＮ）への通信手段２２も備える。図を簡単にするため、これの周囲に、普通、ＢＴＳ（Base Transmitting Station基地通信ステーション）と呼ばれる端末無線ステーション５０だけが図に示される。通信手段２２が、前記設備１１に属する装置３２内に備えられる。装置３２は、上述の通信手段２２を動作可能にするように設計された特別な電子回路も備える。これらは、特にキーボード又はディスプレイのような使用者インターフェースはないが、移動電話網の幾つかの事業者のＳＩＭ識別コードに基づくＰＬＭＮ送受信装置を備えている移動電話により構成される。通信手段２２は、ＬＡＮ電話機セット１６、１７に組み合わせられたコードレス電話セットも備える。
【００４２】
前記中央設備１１の詳細ブロック図を示す図２において、それぞれ２３及び２４で示されかつ外部及び／又は一般電話網１に直結された線路２５と内部母線５１との間に置かれたアナログ／デジタル変換器２３及びデジタル／アナログ変換器２４を備えることに注意することができる。
【００４３】
可能なデジタル形式の線路、ＩＳＤＮ又は同様なものが、アダプター５２に接続され、かかる線路を通って伝送されたデータのフォーマットを、構内通信網１０の内部伝送プロトコルに適合させることができる。
【００４４】
図１に示されるように、電話信号をデジタルデータに、及びこれの逆方向の変換をする装置１２の手段により、外部及び／又は構内通信網の別の線路を、構内通信網１０に接続することができる。前記変換器１２の出力は、図２に示されるように、中央電子設備１１の内部母線５１に接続される。
【００４５】
外部線路２５の各は、増幅及び分離手段２７及び到着呼出しの電話番号の復調手段２８を備え、前記復調手段により遂行される復調作業の結果に従って管理されるスイッチングユニット３０のスイッチ２９は、到着電話通信を、前記中央電子設備１１に接続された機能端末２０及びＬＡＮの電話使用者に、又は電話機セット２１に送るように用意される。
【００４６】
前記スイッチ２９は、端末２０及び電話機セット２１のオペレーターにより直接管理され、ＬＡＮ使用者に通信を送り、端末２０の中から電話機セット２１と２１’、並びにＬＡＮ１０の他の電話設備及び諸装置を直接呼び出すようにできる。
【００４７】
本発明の装置及び組み合わせられたソフトウエアの可能性により、上述のオペレーターは、端末２０の手段によりＬＡＮ使用者と対話することができる点に注意すべきである。
【００４８】
図２のブロック図には、更にユニット３１が示され、これは、特別な手順によりサーバーＣＰＵ５３により実行される呼出し処理アルゴニズム中に、自動的にリコールされＤ／Ａ変換器２４に伝送されるアンサーメッセージを記憶する。
【００４９】
この図において、２重破線は、中央処理ユニットと組み合わせられ、伝統的なＬＡＮサーバーに関する後の革新を行う電子設備を囲む。
【００５０】
上述された設備は以下のように作動する。
【００５１】
図６ａ及び６ｂの詳細な流れ図において、それぞれ、ＬＡＮ電話機セットから出発した通信が一般電話網に接続された電話に向かう場合（図６ａ）、及び外部電話からＬＡＮ１０に達する通信の場合（図６ｂ）に関する連続した作動段階が示される。
【００５２】
ＬＡＮ電話の使用者から通信が出発した場合は、前記使用者に接続された周辺装置３３がアナログの電話信号をデジタルのデータパケットに変換し（段階ａ），前記データをＬＡＮサーバーに向かって優先して送り（段階ｂ）、ここで逆変換し（段階ｃ）、そして一般電話網に向かった伝送が生ずる（段階ｄ）。返事の電話信号を受け取ると直ちにデータパケットへの適切な変換（段階ｅ）及びＬＡＮ使用者に向かっての優先伝送（段階ｆ）が生ずる。次いで、上のデータパケットは周辺装置３３により検出され、アドレスされた電話の使用者がこれに接続され、前記データパケットが電話信号に変換され（段階ｇ）、そして前記電話使用者に伝送される（段階ｈ）。返事の電話信号が受け取られると、直ちに、運転サイクルの段階ａから再開される。
【００５３】
段階ｄとｈとの両者における返事の電話信号の受入れは、通信が中断されているとき（段階ｉ、ｊ、ｋ）は生じない点に注意すべきである。電話通信が一般電話網１からＬＡＮ１０に達した場合は、含まれる作動サイクルは上述のものと等しくかつ逆である。事実、関係の流れ図（図６ｂ）は、図６ａのものと非常によく似ている。違いは、到着呼出しの電話番号が前記電話使用者のＬＡＮ内部番号を含んでいるかいないかにより、外部電話とＬＡＮ電話使用者との間の直接接続又は間接接続が可能であることだけである。
【００５４】
電話呼出しが外部電話網１からＬＡＮ１０に到着し、ＬＡＮ１０使用者に直接アドレスした場合は、通信は変換器１２又は２３によりデジタルデータパケットに迅速に変換され（段階ａ’）、そして優先手順によりテレマティク線路１３に送られる（段階ｂ’）。行き先の周辺装置３３は、上記のデータパケットを、これが標準ＩＴデータパケット用に生じたとして受け取るが、直ちにその特徴が本来の識別コードの手段により検出され、前記装置は上のデータパケットの電話信号への変換を行い（段階ｃ’）、そしてこれらをこれと組み合わせられた電話、ファクシミリ又は受信装置に送る（段階ｄ’）。次いで、返事の電話信号が周辺装置自体によりデジタル形式に変換され（段階ｅ’）、そしてイーサネットを経てサーバーに伝送され（段階ｆ’）、サーバーはこれを優先して処理し電話信号に変換し（段階ｇ’）、更に外部及び／又は一般電話網に送る（段階ｈ’）。
【００５５】
外部電話網からの到着呼出しの電話番号がＬＡＮ使用者の番号を何も含まない場合は、通信は双方向型端末オペレーターにより管理され、オペレーターは、本発明の設備の新しい可能性を使って、希望するならば、リアルタイムでｅメールメッセージを書き、通信のマルチメディア内容を与え、音声メッセージを記録し、ＬＡＮ使用者に通信を送り又はその他の作業を行うことができる。
【００５６】
或いは、本発明の設備により、図６ｂの線図に示されるように、外部電話網からの到着呼出しの電話番号がＬＡＮ使用者を含まない場合は、通信は、内容をデジタル形式に変換されることなく、電子設備１１に接続された電話機セット２１の一つに切り替えられる。事実上、通信自体がＬＡＮの或る特定の使用者に続けて送られる場合は、Ａ／Ｄ変換が行われることは明らかである。
【００５７】
図を簡略にするために、図６ｂにおいては、図６ａの段階ｉ、ｊ、ｋに相当する段階は示されないが、通信の割込み調査に関連する前記の諸段階が、図６ｂの手順においても行われることが明らかである。通信がデジタルＩＳＤＮ、ＡＤＳＬ又は同様な線路を通してＬＡＮに到着した場合は、デジタルデータパケットへの関係の変換は行われず、デジタルフォーマットが、アダプター５２の手段により通信網プロトコルに単に調整されだけ又はその逆である。
【００５８】
ＬＡＮ１０の２名の内部使用者間の電話通信の場合は、かかる環境において実行される手順の諸段階は、上述の手順の内の幾つかだけである。これらの手順は熟練技術者には極めて明らかである。事実、ＬＡＮの２名の使用者間のＩＴデータの交換に通常必要な段階は、アナログ電話信号からデジタルへの変換段階及びその逆が加えられる。
【００５９】
図６ａの流れ図を再び参照すれば、示された手順は、電話呼出しがＬＡＮ使用者の一方から始まって一般電話網に直接向けられ、オペレーター及び電話機セット２１を含むことなく設備１１に接続される場合を参照することに特定されるべきである。
【００６０】
しかし、上述の場合の各において、中央設備１１は、設備自体のＣＰＵ５３と組み合わせられたメモリユニットに記憶された特定のソフトウエア手順の手段により、種々の方法で電話通信を管理するように作動し、前記中央設備は更なる質問又は統計的な報告の発行の目的で通信に関する特定のデータを記憶できることに注意すべきであある。
【００６１】
ＬＡＮ使用者から始まった電話通信が外向きに行く場合は、図５に示されるように、前述のデータの記憶は、通信の形式及び同じ通信の時間と長さを相関させることにより、各使用者の特定の輪郭を定めている統計的パラメーターの計算を目的とする。
【００６２】
特に、前記統計的パラメーターの第１のシリーズは、１日及び／又は週又は月の日の異なった時間における各使用者によりなされる電話呼出しの平均の長さに向けられ、一方、前記パラメーターの第２のシリーズは、或る特定の期間における各使用者の電話トラフィックの総量に関し、更に前記パラメーターの第３のシリーズは各使用者に到着する電話トラフィックの特性に関する。
【００６３】
ＬＡＮ使用者の各人についての電話サービスの使用及び使用者輪郭の決定に関するデータの検出は、図５の全体的な流れ図の段階１２０及び１２１に図式的に示された活動である。
【００６４】
この図から見られるように、中央設備１１における上述の活動の性能と平行して、更なるデータが周期的に記憶され更新され、そしてこのデータは種々の事業者により提供される電話サービスの費用パラメーターに正確に関連する。段階１３０。
【００６５】
これら費用パラメーターは、電話使用者の各人の輪郭を描くために、中央設備１１により処理された統計的データと共に、各電話通信について最も費用の少ない事業者の自動的選択を行うために使用される。前記選択、段階１０７は、電話番号のダイヤル中に行われる作動の解釈又は復調作業の機能として正確に行われる。
【００６６】
特に、ＬＡＮ電話設備又は装置の手段により番号をダイヤルした瞬間に、ＣＰＵ５３が前記番号の数字を解釈し対応するＲＡＭ内に記憶された統計表を使用して要求される通信の形式を正確に判定し、ＣＰＵは、通信形式及び通信時間により、前記通信の有り得る長さを捜し出す。そこで、同様にかかるＲＡＭ内に記憶された費用パラメーターの表の入力により、使用者が要求してる電話サービス（通信形式、通信の長さ）の最も費用の少ない事業者を決定することができる。
【００６７】
前述のモードで事業者が選択されると、直ちに、ＣＰＵ５３が、事業者の識別コードを含んだ電話番号を一般電話網に向けてダイヤルし伝送する。段階１０８。
【００６８】
図５の方法の段階１０１、１０２、１０３及び１０４は、前に図６ａ及び６ｂで詳細に説明されたＬＡＮにおける電話通信の全体的な管理活動に関係することに注意すべきである。
【００６９】
３個の段階１２０、１２１及び１３０が実際に方法の別の段階にリンクされないことは明らかである。事実、これらの段階は、電話トラフィックが限定された時間又はない時間に別に行うことができる。
【００７０】
通信網１０に新しい電話が設置されると、前記電話を通してなされた最初の呼出しから使用されるべき関連のデフォルト統計的パラメーター及び関連コードにより、中央電子設備１１内、及び対応した周辺装置３３内における新しい使用者の平行した参入がソフトウエアを介して行われる。
【００７１】
本発明の設備の興味ある運転モードは、外部移動電話への呼出し及び特定の外部移動電話から受けた呼出しに関する。事実、同一の移動電話網事業者により管理された移動電話間の電話通信が特に有利であり得る点を考えねばならない。
【００７２】
図７の流れ図２００は、ＬＡＮ電話の一つから始まった呼出しが移動電話に向けられたことを、設備のＣＰＵ５３又はその他の装置が検出する（段階２０９）ときの設備の作動モードを示す。このような場合、呼出しは、固定電話網（ＰＳＴＮ）によるか、或いは呼び出された番号の事業者により管理されるＳＩＭカード手段により作動する移動電話手段２２を通る（段階２１０）かのいずれかで行われ、電話接続モードのものであるか又は他のものであるかの選別は、ＣＰＵ３５内に記憶された統計的パラメーター及び費用の関数として自動的に実行される。
【００７３】
図７の方法のその他の段階、２０１−２０８及び２２０、２２１及び２３０は、図５の方法の対応した段階１０１−１０８及び１２０、１２１及び１３０と正確に同じである
図８及び９の流れ図３００は、ＣＰＵ３５又はその他の設備装置が、よく特定された移動電話からの電話通信の着信を検出したときの、本発明の設備の運転モードを示す。
【００７４】
即ち、特に料金が低率に設定された移動電話使用者のグループに属する移動電話から通信が来た場合は、ＣＰＵ５３は、呼んでいる電話番号が特定グループに属する番号であるかを調べ、そうであるならば、呼出しを閉じ、そして直ちに最低費用の固定電話又は移動電話の事業者を選び、同じ番号で呼出しを行う。
【００７５】
以上は図９に詳細に示され、この場合、特にこの方法が、
−呼び出している番号を記憶し、段階は３１３ｄ、
−呼出しを閉鎖し、段階３１３ｅ、
−伝送ユニット３２内に置かれた移動電話手段２２の一つを通して前記移動電    話に接続する、段階３１３ｆ
を提供することを見ることができる。
【００７６】
図９の流れ図も、通信が或る特定の電話リストに属する移動電話から来たか否かの決定を狙った決定作成段階３１３ａと３１３ｂ、及び図６ｂの詳細な流れ図に従って生ずるＬＡＮ電話への標準接続の段階３１３ｃを示す。
【００７７】
図８の方法のその他の段階、３０１−３０８及び３２０、３２１及び３３０は、図５の方法の対応した段階１０１−１０８及び１２０、１２１及び１３０と正確に同じである。
【００７８】
本発明の特別な実施例においては、電話サービスの使用に関する処理活動及びかかるサービスの費用に関するデータの獲得のための活動は、図４に示されるように、ＬＡＮ１０から分離されかつインターネット又は同等のような通信網の手段により一般電話網に接続された特別の処理ユニットにおいて行われる。
【００７９】
１１’により図式的に示されたかかる分離されたユニットは、コストパーフォーマンスの獲得及び幾つかの構内通信網に属している使用者のグループに関する統計的パラメーターの使用の処理に専用とされる。これらユニットは前記ＬＡＮの中央電子設備１１と周期的に接続し、前記通信網の各電話使用者による電話サービスの使用に関するデータを受け取り、最低費用の通信事業者及び接続モードの自動選択に有用なパラメーターを前記設備１１に伝送する。
【００８０】
特定の機能端末５５が装備された上の分離されたユニット１１’は、本発明の設備により提供されるサービスの管理センターに置かれ、そして、特に幾人かの電話使用者による電話サービスの使用に関する現場の統計データのためにサービスを処理し、記憶しかつ探求する。
【００８１】
本発明の設備の活動の可能性に関して、分離されたユニット１１’と電子設備１１との間のデータ交換は、疑いもなく、電話使用者の或るグループの統計的パラメーター、又は幾つかの電話事業者により提供される電話サービスの費用パラメーターにのみ関係し得ることに注意すべきである。いずれの場合も、構内通信網の管理のために設備１１の全体の使用について簡単化が得られる。
【００８２】
本発明の装置により、構内交換自動アンサー電話手順、外部とのインターフェース用の追加線路、新しいインターネット使用者及びＬＡＮ内部、外部両者の革新的通信モードに加えて市場で獲得し得る最有利な条件下で電話サービスを受け得ることが明らかである。
【００８３】
電話が、前記ＬＡＮの周辺ワークステーション（クライアント）の一体部分であり得ること、又は前記ステーションに接続されかつこれから或る距離に置かれることが有り得ることに注意すべきである。
【００８４】
上述の設備は或る団体又は会社の電話の全部又は一部を含み得ること、従って前記団体又は会社の伝統的電話システムと共存し得ることにも注意すべきである。
【００８５】
しかし、上述された特徴及び利点は、変更及び変化の際に例示により明らかにされたものだけでなく節約である。本発明は、かかる例により解釈すべきではなく、特許請求の範囲により解釈されるべきである。
【図面の簡単な説明】
【図１】  本発明による設備を有するＬＡＮの概略図を示す。
【図２】  図１の設備の構成要素のブロック図を示す。
【図３】  図１の設備の別の構成要素のブロック図を示す。
【図４】  本発明の設備の特別な実施例の概略図を示す。
【図５】  本発明による方法の主な段階の流れ図を示す。
【図６】  図５の方法のある段階に関する詳細な流れ図を示す。
【図７、８及び９】  本発明による方法に関する更なる詳細な流れ図を示す。
【図１】
0004554157.tif 000002
【図２】
0004554157.tif 000003
【図３】
0004554157.tif 000004
【図４】
0004554157.tif 000005
【図５】
0004554157.tif 000006
【図６ａ】
0004554157.tif 000007
【図６ｂ】
0004554157.tif 000008
【図７】
0004554157.tif 000009
【図８】
0004554157.tif 000010
【図９】
0004554157.tif 000011